(57)【要約】【課題】容易に分解され環境に悪影響を与えることのない雑草抑制体を提供すること。【解決手段】土１０４の上に蒔くことによって、雑草の育成を抑制する雑草抑制体１００であって、そば殻と、このそば殻に繁殖された麹菌と、を有し、この麹菌によりそば殻同士の隙間を埋めるようにされていることを特徴とする雑草抑制体１００を提供する。【選択図】図２
2004166516.tif 000002
【特許請求の範囲】
【請求項１】
土の上に蒔くことによって、雑草の育成を抑制する雑草抑制体であって、
有機物片と、前記有機物片に繁殖された菌類と、を有し、
前記菌類は、菌糸により前記有機物片同士の隙間を埋めるものであることを特徴とする雑草抑制体。
【請求項２】
前記菌類は、糸状菌又は放線菌の内、少なくとも何れか一つ以上のものであることを特徴とする請求項１に記載の雑草抑制体。
【請求項３】
前記有機物片は、そば殻、もみ殻又は木くずの内、少なくとも何れか一つ以上のものであることを特徴とする請求項１又は２に記載の雑草抑制体。
【請求項４】
前記糸状菌は、麹菌、クモノスカビ又はケカビの内、少なくとも何れか一つ以上のものであることを特徴とする請求項１乃至３の何れか一項に記載の雑草抑制体。
【請求項５】
有機物片に菌類を散布する第一の工程と、
前記有機物片に水を加えて攪拌する第二の工程と、
前記有機物片に菌類を繁殖させる第三の工程と、によることを特徴とする雑草抑制体の製造方法。
【請求項６】
前記菌類は、糸状菌又は放線菌の内、少なくとも何れか一つ以上のものであることを特徴とする請求項５に記載の雑草抑制体の製造方法。
【請求項７】
前記有機物片は、そば殻、もみ殻、ピーナッツ殻又は木くずの内、少なくとも何れか一つ以上のものであることを特徴とする請求項５又は６に記載の雑草抑制体の製造方法。
【請求項８】
前記糸状菌は、麹菌、クモノスカビ又はケカビの内、少なくとも何れか一つ以上のものであることを特徴とする請求項５乃至７の何れか一項に記載の雑草抑制体の製造方法。
【発明の詳細な説明】
【０００１】
【発明の属する技術分野】
本発明は、土の上に蒔くことにより雑草の育成を抑制する雑草抑制体及びその製造方法に関する。
【０００２】
【従来の技術】
従来の雑草抑制体としては、例えば、特開平６−２９６４４９号公報に記載された除草土があった。
【０００３】
特開平６−２９６４４９号公報に記載された除草土は、木材系有機物を粉砕又は造粒して粒度調整したものの表面をシリコンコーティングすることで形成されており、このような除草土を土の上に蒔くことにより、木材系有機物の表面を覆っているシリコンが水をはじき、雑草の育成を可能にする水分を保持することができないようにすることで、雑草の育成を抑制するようにされていた。
【０００４】
【特許文献１】
特開平６−２９６４４９号公報
【０００５】
【発明が解決しようとする課題】
しかしながら、特開平６−２９６４４９号公報に記載された除草土では、土の中に入り込んだ場合にこれを回収することは困難であり、容易に分解されないため長期間土中に留まり、環境を汚染する要因にもなる。
【０００６】
そこで、本発明は、容易に分解され環境に悪影響を与えることのない雑草抑制体及びその製造方法を提供することを目的とする。
【０００７】
【課題を解決するための手段】
以上の課題を解決するため、本発明は、土の上に蒔くことによって、雑草の育成を抑制する雑草抑制体であって、有機物片と、前記有機物片に繁殖された菌類と、を有し、前記菌類は、菌糸により前記有機物片同士の隙間を埋めるものであることを特徴とする雑草抑制体を提供する。
【０００８】
本発明に係る有機物片は、例えば、そば殻、もみ殻、ピーナッツ殻等の植物の殻や木くず等がある。
【０００９】
これらの有機物片を使用することにより、土中で容易に分解され、環境を悪化させることがなくなる。
【００１０】
菌類については、菌糸により有機物片同士の隙間を埋めるようなものであればよく、たとえは、糸状菌や放線菌がある。
【００１１】
糸状菌は、糸状の菌糸をもつ菌類であり、土の上に蒔く必要上、人体に何らかの害悪を及ぼすものを使用することはできず、例えば、麹菌、クモノスカビ又はケカビの内、少なくとも何れか一つ以上を使用すればよい。
【００１２】
また、放線菌は、菌糸を放射状に延ばす菌類である。
【００１３】
このように、有機物片に菌糸を延ばす菌類を繁殖させることで有機物片同士の隙間を菌糸が埋め、雑草に日光が届くことを防止するようになる。
【００１４】
そして、このように有機物片を菌糸により結合した雑草抑制体は、土の表面を覆うことになり、雑草が上方に延びてくるのを妨害するほか、日光を遮り雑草の光合成を阻害することで、雑草の育成を抑制する。
【００１５】
また、菌糸により有機物片が結合されているので、風が吹いたときでも、この雑草抑制体が吹き飛んでしまうことを防止することができる。
【００１６】
また、本発明は、有機物片に菌類を散布する第一の工程と、前記有機物片に水を加えて攪拌する第二の工程と、前記有機物片に菌類を繁殖させる第三の工程と、によることを特徴とする雑草抑制体の製造方法を提供する。
【００１７】
これは上述の雑草抑制体を製造するための好適な製造方法を提供するものであり、他の方法により雑草抑制体を製造することは可能である。
【００１８】
第一の工程では、有機物片に菌類を散布する。
【００１９】
有機物片は、上述のように、そば殻、もみ殻、又は木くずの内、少なくとも何れか一つ以上を使用すればよく、また、菌類についても、上述のように、糸状菌又は放線菌の内、少なくとも何れか一つ以上を使用すればよく、糸状菌としては、麹菌、クモノスカビ又はケカビを使用すればよい。
【００２０】
第二の工程では、第一の工程で菌類を散布した有機物片に水を加えて攪拌する。
【００２１】
どの程度の水を加えるかは、どの菌類を使用するかにより適時選択すればよいが、例えば、菌類として麹菌を使用する場合には、有機物片に対して、水が３５〜４０重量％程度となるようにするのが好適である。
【００２２】
なお、攪拌するのは、水分を有機物片の全体に行き渡らせるためである。
【００２３】
第三の工程では、菌類が散布され、水分が与えられた有機物片に菌類を繁殖させる。
【００２４】
菌類の繁殖方法については、使用する菌類の種類に応じて適時選択すればよい。
【００２５】
【発明の実施の形態】
本発明の一実施形態に係る雑草抑制体１００は、図１に表されているように、そば殻１０１に麹菌１０２を繁殖させることにより形成されている。
【００２６】
そばの実は、硬い表皮で覆われており、脱穀後の表皮がそば殻１０１となるため、無機物とは異なり土中で分解される。
【００２７】
また、麹菌１０２を使用したのは、麹菌１０２は、酒、醤油、味噌等の醸造の際に使用されるものであるため、人体に害悪を及ぼさないからである。
【００２８】
本実施形態に係る雑草抑制体１００は、以下のように製造される。
【００２９】
洗浄したそば殻１０１に麹菌１０２を散布する。
【００３０】
麹菌は米糠に混合して培養させたものを使用した。
【００３１】
ここで、麹菌１０２が活発に活動することができるように、白砂糖、黒砂糖、米糠、おから、しょう油、酢、菜種油かす等を加えておくことが望ましい。
【００３２】
麹菌１０２を散布したそば殻１０１に水を加えて攪拌する。
【００３３】
水は、そば殻に対して、４０重量％程度の量を加え、全体に行き渡るように攪拌する。
【００３４】
このように、麹菌１０２を散布し、水を加えられ、攪拌されたそば殻を、菜種油かすを２〜３ｃｍ敷き詰めた上に０．３〜２ｍ程堆積させる。
【００３５】
ここで、菜種油かすを敷き詰めるのは、堆積したそば殻の最下層に水分が溜り、腐敗の原因になるのを防止するためである。
【００３６】
堆積させたそば殻の表面をコモやムシロで覆って、直射日光をさけ、気温２０℃〜８０℃、湿度３０％以上の雰囲気下で、４時間以上放置する。
【００３７】
ここで、気温２０℃〜８０℃、湿度３０％以上に保つのは、麹菌１０２の繁殖しやすい温度と湿度にするためであるが、気温３５℃〜５０℃、湿度４０％とするのが最も好適である。
【００３８】
麹菌１０２以外の菌類を使用する場合には、使用する菌類の種類によって好適な条件を適時選択する必要がある。
【００３９】
また、４時間以上放置するのも麹菌１０２の繁殖に必要な時間を確保したものであり、８時間程度放置しておくのが最も好適である。
【００４０】
なお、他の種類の菌類を使用する場合には、菌類の種類に合わせて適時放置時間を調節する必要がある。
【００４１】
以上のように、そば殻１０１に麹菌１０２を繁殖させると、麹菌１０２の菌糸によりそば殻１０１同士の隙間を埋めるようになる。
【００４２】
このようにして形成された雑草抑制体１００は、図２に表されているように、例えば、木１０３の根本１０３ａの周囲の土１０４の上に、１０ｍｍ程度堆積するように蒔く。
【００４３】
なお、土の上に雑草抑制体１００を散布する前、又は、散布した後に水を散布することで、麹菌の活動が活発になり好適である。
【００４４】
以上のように、本実施形態に係る雑草抑制体１００を土１０４の上に蒔いたので、土１０４をこの雑草抑制体１００が覆い、雑草が上方に延びてくることを阻害すると共に、日光を遮り、雑草が光合成をすることができないようにしているため、雑草の育成を抑制することができる。
【００４５】
なお、本実施形態に係る雑草抑制体１００は、通気性及び通水性を有するため、木１０３の根腐れを防止することができる。
【００４６】
【発明の効果】
以上のように本発明の構成したので、土の上に蒔かれた後でも容易に分解され、環境に悪影響を与えることがなくなる。
【図面の簡単な説明】
【図１】本発明に係る雑草抑制体１００の概略図。
【図２】雑草抑制体１００の使用例を表す概略図。
【符号の説明】
１００  雑草抑制体
１０１  そば殻
１０２  麹菌
【図１】
2004166516.tif 000003
【図２】
2004166516.tif 000004